(57)【特許請求の範囲】
【請求項１】
７セグＬＥＤからなる表示部と、
縦３列及び横３列に並んだ９つのキーと、前記９つのキーの下に左右に並んだ２つのキーとで構成されたテンキーと、
ユーザーに横方向及び縦方向での画像の分割数を質問する分割数質問手段と、
前記分割数質問手段の質問に対するユーザーの回答を受け付ける回答受付手段と、
前記回答受付手段が受け付けた回答が示す分割数で画像を処理画像領域に分割する画像分割手段と、
前記画像分割手段により生成された処理画像領域を前記９つのキーの配置に合わせて並べて前記表示部に表示する分割画像表示手段と、
前記９つのキーのうち前記分割画像表示手段が表示した各処理画像領域に対応するキーを点滅させることで強調表示するキー強調表示手段と、
前記キー強調表示手段が点滅させたキーが操作されると、該キーに対応する処理画像領域を処理対象として選択する処理画像選択手段と、
前記処理画像選択手段が処理対象として選択した処理画像領域を、対応する前記キーを点灯表示させることで報知する報知表示手段と、
前記分割画像表示手段が前記表示部に横方向に表示した各処理画像領域の数が、前記キー強調表示手段が点滅させた横方向のキーの数よりも多い場合に、前記２つのキーのうち点滅した状態で左側のキーが操作されると、前記キー強調表示手段が点滅させたキーに対応する処理画像領域を、前記キー強調表示手段が点滅させた横方向のキーの数だけ左側に移動した処理画像領域にして、前記２つのキーのうち点滅した状態で右側のキーが操作されると、前記キー強調表示手段が点滅させたキーに対応する処理画像領域を、前記キー強調表示手段が点滅させた横方向のキーの数だけ右側に移動した処理画像領域にする処理画像領域移動手段とを備え、
前記２つのキーは、前記キー強調表示手段が点滅させたキーに対応する処理画像領域に、前記処理画像領域移動手段による移動先となる処理画像領域が存在する場合に点滅し、前記移動先となる処理画像領域が存在しない場合に点滅しない
ことを特徴とする情報処理装置。
【請求項２】
請求項１に記載の情報処理装置を備えることを特徴とする画像形成装置。
【請求項３】
７セグＬＥＤからなる表示部と、縦３列及び横３列に並んだ９つのキーと前記９つのキーの下に左右に並んだ２つのキーとで構成されたテンキーとを備えた情報処理装置における処理画像選択方法であって、
ユーザーに横方向及び縦方向での画像の分割数を質問する分割数質問ステップと、
前記分割数質問ステップでの質問に対するユーザーの回答を受け付ける回答受付ステップと、
前記回答受付ステップで受け付けた回答が示す分割数で画像を処理画像領域に分割する画像分割ステップと、
前記画像分割ステップで生成された処理画像領域を前記９つのキーの配置に合わせて並べて前記表示部に表示する分割画像表示ステップと、
前記９つのキーのうち前記分割画像表示ステップで表示した各処理画像領域に対応するキーを点滅させることで強調表示するキー強調表示ステップと、
前記キー強調表示ステップで点滅させたキーが操作されると、該キーに対応する処理画像領域を処理対象として選択する処理画像選択ステップと、
前記処理画像選択ステップが処理対象として選択した処理画像領域を、対応する前記キーを点灯表示させることで報知する報知表示ステップと、
前記分割画像表示ステップが前記表示部に横方向に表示した各処理画像領域の数が、前記キー強調表示ステップが点滅させた横方向のキーの数よりも多い場合に、前記２つのキーのうち点滅した状態で左側のキーが操作されると、前記キー強調表示ステップが点滅させたキーに対応する処理画像領域を、前記キー強調表示ステップが点滅させた横方向のキーの数だけ左側に移動した処理画像領域にして、前記２つのキーのうち点滅した状態で右側のキーが操作されると、前記キー強調表示ステップが点滅させたキーに対応する処理画像領域を、前記キー強調表示ステップが点滅させた横方向のキーの数だけ右側に移動した処理画像領域にする処理画像領域移動ステップとを備え、
前記２つのキーは、前記キー強調表示ステップが点滅させたキーに対応する処理画像領域に、前記処理画像領域移動ステップによる移動先となる処理画像領域が存在する場合に点滅し、前記移動先となる処理画像領域が存在しない場合に点滅しない
ことを特徴とする処理画像選択方法。
【請求項４】
７セグＬＥＤからなる表示部と、縦３列及び横３列に並んだ９つのキーと前記９つのキーの下に左右に並んだ２つのキーとで構成されたテンキーとを備えたコンピュータを、
ユーザーに横方向及び縦方向での画像の分割数を質問する分割数質問手段と、
前記分割数質問手段の質問に対するユーザーの回答を受け付ける回答受付手段と、
前記回答受付手段が受け付けた回答が示す分割数で画像を処理画像領域に分割する画像分割手段と、
前記画像分割手段により生成された処理画像領域を前記９つのキーの配置に合わせて並べて前記表示部に表示する分割画像表示手段と、
前記９つのキーのうち前記分割画像表示手段が表示した各処理画像領域に対応するキーを点滅させることで強調表示するキー強調表示手段と、
前記キー強調表示手段が点滅させたキーが操作されると、該キーに対応する処理画像領域を処理対象として選択する処理画像選択手段と、
前記処理画像選択手段が処理対象として選択した処理画像領域を、対応する前記キーを点灯表示させることで報知する報知表示手段と、
前記分割画像表示手段が前記表示部に横方向に表示した各処理画像領域の数が、前記キー強調表示手段が点滅させた横方向のキーの数よりも多い場合に、前記２つのキーのうち点滅した状態で左側のキーが操作されると、前記キー強調表示手段が点滅させたキーに対応する処理画像領域を、前記キー強調表示手段が点滅させた横方向のキーの数だけ左側に移動した処理画像領域にして、前記２つのキーのうち点滅した状態で右側のキーが操作されると、前記キー強調表示手段が点滅させたキーに対応する処理画像領域を、前記キー強調表示手段が点滅させた横方向のキーの数だけ右側に移動した処理画像領域にする処理画像領域移動手段とを備え、
前記２つのキーは、前記キー強調表示手段が点滅させたキーに対応する処理画像領域に、前記処理画像領域移動手段による移動先となる処理画像領域が存在する場合に点滅し、前記移動先となる処理画像領域が存在しない場合に点滅しない
情報処理装置として機能させることを特徴とするプログラム。
【発明の詳細な説明】
【技術分野】
【０００１】
本発明は、画像を複数の処理画像領域に分割して表示し、その中から目的の処理画像領域を選択する情報処理装置、画像形成装置、処理画像選択方法、プログラムに関する。
【背景技術】
【０００２】
この種の情報処理装置は、下記の特許文献１，２に開示されている。特許文献１，２では、文書画像の一覧表示に文書画像から切り出した部分画像を用いることで、一覧表示された画像の視認性を向上させている。
【０００３】
近年、画像形成装置ではコストの削減が要求されているが、上記特許文献１，２に記載されているような装置では、部分画像の内容をユーザーが把握できるようにドット・マトリックスＬＣＤ等の高機能なＬＣＤが搭載されており、ＬＣＤが高価な分、画像形成装置のコストが高くなる。
【先行技術文献】
【特許文献】
【０００４】
【特許文献１】特開２０１０−４４４９８号公報
【特許文献２】特開２００８−５２４９６号公報
【発明の概要】
【発明が解決しようとする課題】
【０００５】
そこで、表示部に例えば７セグＬＥＤ等の低価格の表示器を用いることが考えられている。しかし、表現力が低いことから、一画像に含まれる複数の処理画像の中から目的の画像を選択する際に、高機能な表示器を用いた場合のような視認性を得られないという問題が考えられる。
【０００６】
本発明は斯かる課題に鑑みてなされたもので、上記課題を解決できる情報処理装置、画像形成装置、処理画像選択方法、プログラムを提供することを目的とする。
【課題を解決するための手段】
【０００７】
このような目的を達成するために、本発明の情報処理装置は、７セグＬＥＤからなる表示部と、縦３列及び横３列に並んだ９つのキーと、前記９つのキーの下に左右に並んだ２つのキーとで構成されたテンキーと、ユーザーに横方向及び縦方向での画像の分割数を質問する分割数質問手段と、前記分割数質問手段の質問に対するユーザーの回答を受け付ける回答受付手段と、前記回答受付手段が受け付けた回答が示す分割数で画像を処理画像領域に分割する画像分割手段と、前記画像分割手段により生成された処理画像領域を前記９つのキーの配置に合わせて並べて前記表示部に表示する分割画像表示手段と、前記９つのキーのうち前記分割画像表示手段が表示した各処理画像領域に対応するキーを点滅させることで強調表示するキー強調表示手段と、前記キー強調表示手段が点滅させたキーが操作されると、該キーに対応する処理画像領域を処理対象として選択する処理画像選択手段と、前記処理画像選択手段が処理対象として選択した処理画像領域を、対応する前記キーを点灯表示させることで報知する報知表示手段と、前記分割画像表示手段が前記表示部に横方向に表示した各処理画像領域の数が、前記キー強調表示手段が点滅させた横方向のキーの数よりも多い場合に、前記２つのキーのうち点滅した状態で左側のキーが操作されると、前記キー強調表示手段が点滅させたキーに対応する処理画像領域を、前記キー強調表示手段が点滅させた横方向のキーの数だけ左側に移動した処理画像領域にして、前記２つのキーのうち点滅した状態で右側のキーが操作されると、前記キー強調表示手段が点滅させたキーに対応する処理画像領域を、前記キー強調表示手段が点滅させた横方向のキーの数だけ右側に移動した処理画像領域にする処理画像領域移動手段とを備え、前記２つのキーは、前記キー強調表示手段が点滅させたキーに対応する処理画像領域に、前記処理画像領域移動手段による移動先となる処理画像領域が存在する場合に点滅し、前記移動先となる処理画像領域が存在しない場合に点滅しないことを特徴とする。
また、本発明の画像形成装置は、上記情報処理装置を備えることを特徴とする。
また、本発明の処理画像選択方法は、７セグＬＥＤからなる表示部と、縦３列及び横３列に並んだ９つのキーと前記９つのキーの下に左右に並んだ２つのキーとで構成されたテンキーとを備えた情報処理装置における処理画像選択方法であって、ユーザーに横方向及び縦方向での画像の分割数を質問する分割数質問ステップと、前記分割数質問ステップでの質問に対するユーザーの回答を受け付ける回答受付ステップと、前記回答受付ステップで受け付けた回答が示す分割数で画像を処理画像領域に分割する画像分割ステップと、前記画像分割ステップで生成された処理画像領域を前記９つのキーの配置に合わせて並べて前記表示部に表示する分割画像表示ステップと、前記９つのキーのうち前記分割画像表示ステップで表示した各処理画像領域に対応するキーを点滅させることで強調表示するキー強調表示ステップと、前記キー強調表示ステップで点滅させたキーが操作されると、該キーに対応する処理画像領域を処理対象として選択する処理画像選択ステップと、前記処理画像選択ステップが処理対象として選択した処理画像領域を、対応する前記キーを点灯表示させることで報知する報知表示ステップと、前記分割画像表示ステップが前記表示部に横方向に表示した各処理画像領域の数が、前記キー強調表示ステップが点滅させた横方向のキーの数よりも多い場合に、前記２つのキーのうち点滅した状態で左側のキーが操作されると、前記キー強調表示ステップが点滅させたキーに対応する処理画像領域を、前記キー強調表示ステップが点滅させた横方向のキーの数だけ左側に移動した処理画像領域にして、前記２つのキーのうち点滅した状態で右側のキーが操作されると、前記キー強調表示ステップが点滅させたキーに対応する処理画像領域を、前記キー強調表示ステップが点滅させた横方向のキーの数だけ右側に移動した処理画像領域にする処理画像領域移動ステップとを備え、前記２つのキーは、前記キー強調表示ステップが点滅させたキーに対応する処理画像領域に、前記処理画像領域移動ステップによる移動先となる処理画像領域が存在する場合に点滅し、前記移動先となる処理画像領域が存在しない場合に点滅しないことを特徴とする。
また、本発明のプログラムは、７セグＬＥＤからなる表示部と、縦３列及び横３列に並んだ９つのキーと前記９つのキーの下に左右に並んだ２つのキーとで構成されたテンキーとを備えたコンピュータを、ユーザーに横方向及び縦方向での画像の分割数を質問する分割数質問手段と、前記分割数質問手段の質問に対するユーザーの回答を受け付ける回答受付手段と、前記回答受付手段が受け付けた回答が示す分割数で画像を処理画像領域に分割する画像分割手段と、前記画像分割手段により生成された処理画像領域を前記９つのキーの配置に合わせて並べて前記表示部に表示する分割画像表示手段と、前記９つのキーのうち前記分割画像表示手段が表示した各処理画像領域に対応するキーを点滅させることで強調表示するキー強調表示手段と、前記キー強調表示手段が点滅させたキーが操作されると、該キーに対応する処理画像領域を処理対象として選択する処理画像選択手段と、前記処理画像選択手段が処理対象として選択した処理画像領域を、対応する前記キーを点灯表示させることで報知する報知表示手段と、前記分割画像表示手段が前記表示部に横方向に表示した各処理画像領域の数が、前記キー強調表示手段が点滅させた横方向のキーの数よりも多い場合に、前記２つのキーのうち点滅した状態で左側のキーが操作されると、前記キー強調表示手段が点滅させたキーに対応する処理画像領域を、前記キー強調表示手段が点滅させた横方向のキーの数だけ左側に移動した処理画像領域にして、前記２つのキーのうち点滅した状態で右側のキーが操作されると、前記キー強調表示手段が点滅させたキーに対応する処理画像領域を、前記キー強調表示手段が点滅させた横方向のキーの数だけ右側に移動した処理画像領域にする処理画像領域移動手段とを備え、前記２つのキーは、前記キー強調表示手段が点滅させたキーに対応する処理画像領域に、前記処理画像領域移動手段による移動先となる処理画像領域が存在する場合に点滅し、前記移動先となる処理画像領域が存在しない場合に点滅しない情報処理装置として機能させることを特徴とする。
【発明の効果】
【０００８】
本発明によれば、ユーザーの手元にある原画像をキーに対応させた複数の領域に分割し、これらの領域が対応するキーの操作で処理領域が選択できるので、高機能な表示器のような視認性がなくても、処理領域を選択できる。このため、低価格の表示器を用いた表示部でも利便性を低下させることなくユーザーに画像の選択をさせられる。
【図面の簡単な説明】
【０００９】
【図１】本発明の一実施形態の画像形成装置の構成図である。
【図２】図１の入力部が備えるテンキーの配置を示す図である。
【図３】図１の画像形成装置が備える情報処理装置の構成の概略を示すブロック図である。
【図４】情報処理装置による処理の手順の概略を示すフローチャートである。
【図５】図１の表示部での画像の分割表示方法を示す図である。
【図６】表示部での分割表示とテンキーの強調表示との関係を示す第１の図である。
【図７】表示部での分割表示とテンキーの報知表示との関係を示す図である。
【図８】表示部での分割表示とテンキーの強調表示との関係を示す第２の図である。
【図９】表示部での分割表示とテンキーの強調表示との関係を示す第３の図である。
【図１０】表示部での分割表示とテンキーの強調表示との関係を示す第４の図である。
【発明を実施するための形態】
【００１０】
＜実施の形態＞
〔画像形成装置１の構成〕
まず、図１を参照して、本発明の実施の形態に係る画像形成装置１の構成について、図１を用いて説明する。
画像形成装置１は、原稿読取部２と、原稿給送部３と、本体部４と、スタックトレイ５と、操作パネル部６とを備えている。
原稿読取部２は、本体部４の上方に配設され、原稿給送部３は、原稿読取部２の上方に配設されている。スタックトレイ５は、本体部４に設けられた記録紙の排出口４１側に配設され、また、操作パネル部６は、本体部４のフロント側に配設されている。
【００１１】
原稿読取部２は、スキャナー２１と、プラテンガラス２２と、原稿読取スリット２３とを備える。スキャナー２１は、露光ランプ、及びＣＣＤ(Charge Coupled Device)やＣＭＯＳ（Complementary Metal Oxide Semiconductor）撮像センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１２】
プラテンガラス２２に載置された原稿を読み取る場合には、スキャナー２１は、プラテンガラス２２に対向する位置に移動され、本体部４に備わる制御部９０は、プラテンガラス２２に載置された原稿を走査しながら原稿を読み取って画像データを取得する。
また、原稿給送部３により搬送された原稿を読み取る場合には、スキャナー２１は、原稿読取スリット２３と対向する位置に移動され、本体部４に備わる制御部９０は、原稿読取スリット２３を介し、原稿給送部３による原稿の搬送動作と同期して原稿を読み取って画像データを取得する。
【００１３】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１４】
本体部４は、画像形成部７を備えると共に、給紙部４２と、用紙搬送路４３と、搬送ローラー対４４と、排出ローラー対４５とを備えている。給紙部４２は、それぞれサイズ又は向きが異なる記録紙を収納する複数の給紙カセット４２１と、給紙カセット４２１から記録紙を１枚ずつ用紙搬送路４３に繰り出す給紙ローラー４２２とを備えている。
給紙ローラー４２２、搬送ローラー対４４、及び排出ローラー対４５は、搬送部として機能する。記録紙は、この搬送部により搬送される。給紙ローラー４２２によって用紙搬送路４３に繰り出された記録紙は、搬送ローラー対４４によって画像形成部７に搬送される。
そして、画像形成部７によって記録が施された記録紙は、排出ローラー対４５によってスタックトレイ５に排出される。
【００１５】
操作パネル部６は、７セグＬＥＤ等の低価格の表示器を使用した表示部６１と、スタートキー、テンキー６３、複写／ＦＡＸ送信／スキャナー等の動作モードの切り換えボタンと、印刷、送信、受信、保存、又は記録に関する指示を行うためのボタンやタッチパネル等とを含む入力部６２を備えている。操作パネル部６は、ユーザーによる画像形成装置１のこれらの入力部６２からの指示入力を受け付ける。
また、操作パネル部６は、ユーザーによるパスワード等の認証入力を受け付ける。テンキー６３は、図２に示すように、９つのキー６３１〜６３９を縦３列，横３列に並べ、その下に２つのキー６４０，６４１を左右に並べて構成されている。
【００１６】
画像形成部７は、感光体ドラム７１と、露光部７２と、現像部７３と、転写部７４と、定着装置８とを備えている。露光部７２は、レーザー装置やミラーやレンズ等を備えた光学ユニットであり、画像データに基づいた光を出力して感光体ドラム７１を露光し、感光体ドラム７１の表面に静電潜像を形成する。現像部７３は、トナーを用いて感光体ドラム７１に形成された静電潜像を現像する現像ユニットであり、静電潜像に基づいたトナー像を感光体ドラム７１上に形成させる。
転写部７４は、現像部７３によって感光体ドラム７１上に形成されたトナー像を記録紙に転写させる。定着装置８は、転写部７４によってトナー像が転写された記録紙を加熱してトナー像を記録紙に定着させる。
【００１７】
次に、画像形成装置１がユーザーの指示により印刷画像を選択するために備える情報処理部８０について、図３を用いて説明する。
【００１８】
情報処理部８０は、分割数質問手段８１と、回答受付手段８２と、画像分割手段８３と、キー強調表示手段８４と、分割画像表示手段８５と、処理画像選択手段８６と、報知表示手段８７とを備えている。
【００１９】
分割数質問手段８１は、操作パネル部６が備える表示部６１の表示で画像の分割数を質問するためのものである。画像の分割数は、横方向及び縦方向での画像の分割数で質問される。なお、分割数質問手段８１による質問は、「何分割しますか？」と分割数を入力させる形式でも、選択肢を表示してユーザーに分割数を選択させる形式でもよい。
【００２０】
回答受付手段８２は、分割数質問手段８１による表示部６１での質問に対する回答がユーザーにより入力部６２の操作で行われると、その回答を受け付けるようになっている。
【００２１】
画像分割手段８３は、回答受付手段８２が受け付けたユーザーの回答、つまり、分割数質問手段８１の質問に対してユーザーが回答した分割数で画像を処理画像領域に分割するようになっている。
【００２２】
キー強調表示手段８４は、画像分割手段８３が分割した各処理画像領域に対応するテンキー６３を点滅させることで強調表示するようになっている。
【００２３】
分割画像表示手段８５は、画像分割手段８３が分割した各処理画像領域の印刷用画像中における配置とテンキー６３の配置とが近似的に合うように、処理画像領域を表示部６１に表示するようになっている。
【００２４】
処理画像選択手段８６は、キー強調表示手段８４による点滅表示がされているテンキー６３が再度操作されると、そのテンキー６３に対応する処理画像領域を印刷処理の対象として選択するようになっている。
【００２５】
報知表示手段８７は、キー強調表示手段８４により点滅表示されたテンキー６３が操作されると、そのテンキー６３を点灯表示させることで、操作されたテンキー６３に対応する処理画像領域が処理対象として選択されたことを報知するようになっている。
【００２６】
次に、情報処理部８０で印刷用の画像の中から処理の対象とするページの処理画像領域を選択する処理について、図４を用いて説明する。
【００２７】
この処理は、ユーザーが入力部６２の操作で画像の印刷等の処理要求をすると実行される。
【００２８】
ユーザーから上記処理要求があると、まず、操作パネル部６が備える表示部６１の表示で画像の分割数が分割数質問手段８１によりユーザーに質問される（Ｓ１）。
【００２９】
表示部６１での質問を見たユーザーが入力部６２の操作で質問に対する回答をすると、回答受付手段８２によりその回答が受け付けられる（Ｓ２）。
【００３０】
回答受付手段８２がユーザーの回答を受け付けると、画像分割手段８３により画像が回答に示される分割数で処理画像領域に分割される（Ｓ３）。
【００３１】
画像分割手段８３が画像を処理画像領域に分割すると、分割画像表示手段８５により処理画像領域が表示部６１に表示される（Ｓ４）。
【００３２】
また、画像分割手段８３が分割した各処理画像領域に対応するテンキー６３が、キー強調表示手段８４により点滅させる（Ｓ５）。
【００３３】
ユーザーが表示部６１での処理画像領域の表示及びテンキー６３の点滅を確認し、処理したい処理画像領域に対応するテンキー６３を操作すると、処理画像選択手段８６によりそのテンキー６３に対応する処理画像領域が印刷処理の対象として選択される（Ｓ６）。
【００３４】
また、ユーザーに操作されたテンキー６３が、報知表示手段８７により点灯表示される（Ｓ７）。
【００３５】
その後、画像形成装置１により、ユーザーによる入力部６２の操作に応じて、処理画像選択手段８６により選択された処理画像領域が印刷等される。
【００３６】
次に、表示部６１での処理画像領域の表示とテンキー６３の表示との関係について説明する。
【００３７】
ユーザーにより縦Ｎ分割，横Ｍ分割での画像の分割が要求されると、図５に示すように、処理画像領域が縦Ｎ列，横Ｍ列に並んだ「Ｎ−ｕｐ（ＭＮｉｎ１）」の表示が表示部６１で行われる。この表示では、縦方向に処理画像領域９１１ｃ〜９１Ｎｃまで処理画像領域がＮ列並び、横方向に処理画像領域９１１ｃ〜９Ｍ１ｃまで処理画像領域がＭ列並んでいる。
【００３８】
例えば、ユーザーにより縦１分割，横２分割での画像の分割が要求されると、図６（ａ）に示すように２つの処理画像領域９１１，９２１が左右に並んだ「２ｉｎ１」の分割表示が表示部６１で行われる。図６（ａ）に示す「２ｉｎ１」の分割表示では、図６（ｂ）に示すように、２列目の左側のキー６３４が分割表示された左側の処理画像領域９１１に、右側のキー６３６が右側の処理画像領域９１２にそれぞれ対応づけられて点滅表示している。
【００３９】
また、図７（ａ）に示す「２ｉｎ１」の分割表示の際に２列目の左側のキー６３４が操作されて処理画像領域９１１が選択されると、図７（ｂ）に示すように、キー６３４が点灯表示する。キー６３４が点滅表示から点灯表示に変わることで、ユーザーは、キー６３４に対応する処理画像領域９１１が選択されたことを知ることができる。
【００４０】
また、ユーザーにより縦２分割，横２分割での画像の分割が要求されると、図８（ａ）に示すように４つの処理画像領域９１１ａ，９２１ａ，９１２ａ，９２２ａが上下及び左右に２つずつ並んだ「４ｉｎ１」の分割表示が表示部６１で行われる。図８（ａ）に示す「４ｉｎ１」の分割表示では、図８（ｂ）に示すように、１列目の左側のキー６３１が左上の処理画像領域９１１ａに、右側のキー６３３が右上の処理画像領域９１２ａにそれぞれ対応づけられて点滅表示している。また、図８（ｂ）に示すように、３列目の左側のキー６３７が左下の処理画像領域９２１ａに、右側のキー６３９が右下の処理画像領域９２２ａにそれぞれ対応づけられて点滅表示している。
【００４１】
また、ユーザーにより縦２分割，横４分割での画像の分割が要求されると、図９（ａ）に示すように、８つの処理画像領域９１１ｂ，９２１ｂ，９１２ｂ，９２２ｂ，９１３ｂ，９２３ｂ，９１４ｂ，９２４ｂが上下２列になって左右に並んだ「８ｉｎ１」の分割表示が表示部６１で行われる。
【００４２】
図９（ａ）に示す「８ｉｎ１」の分割表示では、図９（ｂ）に示すように、１列目の左側のキー６３１が左上の処理画像領域９１１ｂに、右側のキー６３３が処理画像領域９１２ｂにそれぞれ対応づけられて点滅表示している。また、図９（ｂ）に示すように、３列目の左側のキー６３７が分割表示された左下の処理画像領域９２１ｂに、右側のキー６３９が処理画像領域９２２ｂにそれぞれ対応づけられて点滅表示している。また、４列目の右側のキー６４１が点滅表示している。
【００４３】
図９（ａ）に示す「８ｉｎ１」の分割表示では、４列目の右側のキー６４１が操作される度に、テンキー６３の点滅表示がされた処理画像領域から２列分右側に移動した位置の処理画像領域に対応するテンキー６３に、点滅するテンキー６３が変更される。また、４列目の左側のキー６４０が操作される度に、テンキー６３の点滅表示がされた処理画像領域から２列分左側に移動した位置の処理画像領域に対応するテンキー６３に、点滅するテンキー６３が変更される。
【００４４】
テンキー６３の点滅表示がされた処理画像領域の右側に処理画像領域が存在しなくなると４列目の右側のキー６４１の点滅が終了し、テンキー６３の点滅表示がされた処理画像領域の左側に表示する処理画像領域が存在しなくなると４列目の左側のキー６４０の点滅が終了する。
【００４５】
例えば、図９（ａ）に示す「８ｉｎ１」の分割表示が行われている際に４列目の右側のキー６４１が操作されると、キー６３１，６３３，６３７，６３９の点滅表示がされた処理画像領域９１１ｂ，９１２ｂ，９２１ｂ，９２２ｂから２列分右側に移動した位置の処理画像領域９１３ｂ，９１４ｂ，９２３ｂ，９２４ｂに対応するキー６３１，６３３，６３７，６３９が点滅される。また、テンキー６３の点滅表示がされた処理画像領域の右側に処理画像領域が存在しなくなり、左側に処理画像領域が存在することになるので、図１０に示すように、４列目の右側のキー６４１の点滅表示が終了すると共に左側のキー６４０が点滅表示される。
【００４６】
以上のように構成することで、以下のような効果を得ることができる。
本実施形態によれば、ユーザーが画像の分割数を指定し、分割数分の処理画像領域に対応したテンキー６３をユーザーが操作することで処理対象となる処理画像領域が選択されるので、ユーザーは手元にある原画像の中から特定の処理画像領域をテンキー６３の操作で選択し、印刷等の処理を行うことができる。このため、高機能な表示器のような視認性がなくても、処理領域を選択できる。従って、低価格の表示器を用いた表示部でも利便性を低下させることなくユーザーに処理画像領域の選択をさせられる。
【００４７】
例えば、情報処理部８０は、画像データに含まれる各ページを複数の処理画像領域に分割して操作パネル部６の表示部６１に表示し、表示した複数の処理画像領域の中から印刷処理の対象とするページの処理画像領域をユーザーに選択させることができる。
【００４８】
上記実施形態では、情報処理部８０が操作パネル部６のテンキー６３を用いて処理画像領域を選択する場合について説明した。しかしながら、情報処理部８０が処理画像領域を選択するために用いるキーは任意であり、スタートキー、動作モードの切り換えボタン、印刷、送信、受信、保存、又は記録に関する指示を行うためのボタン等を用いてもよい。また、テンキー６３にこれらのキーを組み合わせて処理画像領域を選択する構成としてもよい。
【００４９】
処理画像領域の配置は任意であり、例えば、処理画像領域の選択に用いるキーの配置等に応じて定めることもできる。キー強調表示手段８４による強調表示方法は任意であり、点滅以外の方法で強調表示することもできる。報知表示手段８７による報知表示方法は任意であり、点灯表示以外の方法で報知表示を行うこともできる。
【００５０】
上記実施形態では、複数ページが表示された１つの画像を複数の処理画像領域に分割表示した場合について説明したが、１ページに表示された１つの画像を複数の処理画像領域に分割する構成としてもよい。また、上記実施形態では、処理画像領域を表示部６１に並べて表示した場合について説明したが、表示部６１に処理画像領域を表示せず、画像の分割数に応じてあらかじめ定められたキーを、表示部６１での表示を見ずにユーザーが操作する構成としてもよい。また、画像の分割数に応じてあらかじめ定められたキーでキー強調表示手段８４や処理画像選択手段８６による表示のみを行う構成としてもよい。
【００５１】
また、上記実施形態では、７セグＬＥＤ等の低価格の表示器を表示部６１に使用した場合について説明したが、低価格の表示器としては７セグＬＥＤの他に低機能なＬＣＤ等を用いることもできる。このような構成でも、ユーザーは手元にある原画像の中から特定の処理画像領域をテンキー６３の操作で選択し、印刷等の処理を行うことができる。このため、高機能な表示器のような視認性がなくても、処理領域を選択できる。従って、低価格の表示器を用いた表示部でも利便性を低下させることなくユーザーに処理画像領域の選択をさせられる。
【００５２】
また、上記実施形態では、処理画像領域に対応するテンキー６３を点滅及び点灯させた場合について説明したが、表示部６１で処理画像領域を点滅や点灯させる表示により、テンキー６３が対応している処理画像領域をユーザーに知らせるようにしてもよい。
【００５３】
また、上記実施形態では、４列目の右側のキー６４１及び左側のキー６４０の何れか一方のみが点滅する場合について説明したが、テンキー６３の点滅表示がされた処理画像領域の右側及び左側に処理画像領域が存在する場合には、４列目の右側のキー６４１及び左側のキー６４０の両方を点滅させることができる。
【符号の説明】
【００５４】
１  画像形成装置
２  原稿読取部
３  原稿給送部
４  本体部
５  スタックトレイ
６  操作パネル部
７  画像形成部
８  定着装置
９  判別部
２１  スキャナー
２２  プラテンガラス
２３  原稿読取スリット
３１  原稿載置部
３２  原稿排出部
３３  原稿搬送機構
４１  排出口
４２  給紙部
４３  用紙搬送路
４４  搬送ローラー対
４５  排出ローラー対
７１  感光体ドラム
７２  露光部
７３  現像部
７４  転写部
８０  情報処理装置
８１  分割数質問手段
８２  回答受付手段
８３  画像分割手段
８４  キー強調表示手段
８５  分割画像表示手段
８６  処理画像選択手段
８７  報知表示手段
６１  表示部
６２  入力部
６３  テンキー
９０  制御部
４２１  給紙カセット
４２２  給紙ローラー
６３１〜６４１  キー
９１１，９２１  処理画像領域
９１１ａ，９１２ａ，９２１ａ，９２２ａ  処理画像領域
９１１ｂ，９１２ｂ，９１３ｂ，９１４ｂ，９２１ｂ，９２２ｂ，９２３ｂ，９２４ｂ  処理画像領域
【図１】
0006274073.tif 000002
【図２】
0006274073.tif 000003
【図３】
0006274073.tif 000004
【図４】
0006274073.tif 000005
【図５】
0006274073.tif 000006
【図６】
0006274073.tif 000007
【図７】
0006274073.tif 000008
【図８】
0006274073.tif 000009
【図９】
0006274073.tif 000010
【図１０】
0006274073.tif 000011